(57)【要約】【課題】  組み合わせによる様々な物を作ったり装飾等を可能にして汎用性を高めるとともに、装飾等を行う観点からの自由度（柔軟性）を高め、興味性を高めたり楽しさを広げることにより多様性を高める。【解決手段】  発光ダイオード３を発光源に用いた発光ユニット２を備える発光装置１を構成するに際して、一側に発光ダイオード３を設け、かつ他側に他の発光ユニット２に備えるアウトレット側コネクタ部５に対して着脱可能となる発光ダイオード２に接続したインレット側コネクタ部４及び他の発光ユニット２に備えるインレット側コネクタ部４に対して着脱可能となる発光ダイオード３に接続したアウトレット側コネクタ部５を設けてなるダイオード支持体部６を有する発光ユニット２を、少なくとも一つ以上備える。【選択図】  図１
0003155988.tif 000002
【実用新案登録請求の範囲】
【請求項１】
発光ダイオードを発光源に用いた発光ユニットを備える発光装置において、一側に前記発光ダイオードを設け、かつ他側に他の発光ユニットに備えるアウトレット側コネクタ部に対して着脱可能となる前記発光ダイオードに接続したインレット側コネクタ部及び他の発光ユニットに備えるインレット側コネクタ部に対して着脱可能となる前記発光ダイオードに接続したアウトレット側コネクタ部を設けてなるダイオード支持体部を有する発光ユニットを、少なくとも一つ以上備えることを特徴とする発光装置。
【請求項２】
前記インレット側コネクタ部と前記アウトレット側コネクタ部の少なくとも一方は、前記ダイオード支持体部に対して接続コードを介して設けることを特徴とする請求項１記載の発光装置。
【請求項３】
前記ダイオード支持体部には、他の部材に対して着脱可能に装着する装着部を備えることを特徴とする請求項１又は２記載の発光装置。
【考案の詳細な説明】
【技術分野】
【０００１】
本考案は、発光ダイオードを発光源に用いた発光ユニットを備える装飾等に用いて好適な発光装置に関する。
【背景技術】
【０００２】
一般に、発光ダイオード（ＬＥＤ）は、電球等の他の発光源に比べ、省電力性，長寿命性，コンパクト性，耐破損性等に優れるため、照明をはじめ各種の発光装置に利用されている。特に、装飾等を目的とした発光装置にも利用されており、このような発光装置としては、特許文献１で開示される植換式自光造花や特許文献２で開示される回転コネクタ付装飾ランプチェーンで利用される発光装置が知られている。
【０００３】
前者の植換式自光造花は、自光造花であっても使用者の趣向等に応じて自由に植え換えることができる生け花感覚で装飾できることを目的としたものであり、花瓶の口を通過し得る大きさの外形形状を成し、内部に電源手段を備えた保持体と、この保持体が花瓶内に載置された場合に上方に位置する保持体の面上に取り付けられ、電源手段に配線された複数のコネクタ雌体と、このコネクタ雌体に嵌入接続されるコネクタ雄体に自立した茎部が取付けられ、この茎部の各所から延びる枝部先端に種々趣向造形された花及び葉が形成された造花ピースと、この造花ピースの花冠部及び葉脈部に配置され、コネクタ雄体に接続された発光ダイオードとを備えた構成を有している。一方、後者の回転コネクタ付装飾ランプチェーンは、ランプチェーンと回転コネクタを含み、ランプチェーンは、数個の発光ダイオードランプを導線につなぎ合わせて作られ、回転コネクタは、絶縁本体、金属の回転ケース、末端に設置される接続部を含み、本体内部には、電気回路を設け、また、それぞれ回転ケースと接触部に互いに接続し、入力の交流電流を直流電流の出力に変換し、出力側線路は、前述の導線に互いに接続する構成を有している。
【先行技術文献】
【特許文献】
【０００４】
【特許文献１】実開平５−７７２１２号公報
【特許文献２】実用新案登録第３１２６６８２号公報
【考案の概要】
【考案が解決しようとする課題】
【０００５】
しかし、上述した従来における装飾等を目的とした発光装置は、次のような問題点があった。
【０００６】
第一に、前者は、造花の用途に限られ、後者は、クリスマスツリー等におけるランプチェーンの用途に限られるなど、いずれも特定の用途に限定され、他の用途には転用しにくいなど、汎用性に劣るとともに、装飾等を行う観点からも自由度（柔軟性）に劣り、興味性を高めたり楽しさを広げるにも限界があるなど、多様性に劣る。
【０００７】
第二に、前者は、造花自体は別途製作し、この造花を発光ダイオードで照らす構成を有するとともに、後者は、複数のダイオードが接続された一体の製品として構成される。したがって、前者の場合、複雑な部品を要し、かつ部品点数が多くなるとともに、後者の場合、例えば、三つの発光ダイオードが必要な場合であっても規定数量の発光ダイオードを用いた製品を購入する必要があるなど、いずれもコスト面で不利になる。
【０００８】
本考案は、このような背景技術に存在する課題を解決した発光装置の提供を目的とするものである。
【課題を解決するための手段】
【０００９】
本考案は、発光ダイオード３を発光源に用いた発光ユニット２を備える発光装置１を構成するに際して、一側に発光ダイオード３を設け、かつ他側に他の発光ユニット２に備えるアウトレット側コネクタ部５に対して着脱可能となる発光ダイオード２に接続したインレット側コネクタ部４及び他の発光ユニット２に備えるインレット側コネクタ部４に対して着脱可能となる発光ダイオード３に接続したアウトレット側コネクタ部５を設けてなるダイオード支持体部６を有する発光ユニット２を、少なくとも一つ以上備えることを特徴とする。
【００１０】
この場合、考案の好適な態様により、インレット側コネクタ部４とアウトレット側コネクタ部５の少なくとも一方は、ダイオード支持体部６に対して接続コード７（８）を介して設けることができる。また、ダイオード支持体部６には、他の部材９，１０に対して着脱可能に装着する装着部６ｓを設けることができる。
【考案の効果】
【００１１】
このような構成を有する本考案に係る発光装置１によれば、次のような顕著な効果を奏する。
【００１２】
（１）  他の発光ユニット２に対して着脱可能なインレット側コネクタ部４及び他の発光ユニット２に対して着脱可能なアウトレット側コネクタ部５を設けてなるダイオード支持体部６を有する発光ユニット２を、少なくとも一つ以上備えるため、任意数量の発光ユニット２…を自由に連結することができる。これにより、発光ユニット２…の組み合わせによる様々な物を作ったり装飾等を行うことができ、汎用性を高めることができる。また、装飾等を行う観点からの自由度（柔軟性）を高めることができるため、興味性を高めたり楽しさを広げることができ、多様性を高めることができる。
【００１３】
（２）  一側に発光ダイオード３を設け、かつ他側に他の発光ユニット２に着脱可能なインレット側コネクタ部４及び他の発光ユニット２に着脱可能なアウトレット側コネクタ部５を設けてなるダイオード支持体部６を有する少なくとも一つ以上の独立した発光ユニット２…を利用するため、各発光ユニット２…は、部品点数の少ない単純な形態により構成できるとともに、任意数量を組み合わせ可能になるため、低コスト性に優れる。
【００１４】
（３）  好適な態様により、インレット側コネクタ部４とアウトレット側コネクタ部５の少なくとも一方を、ダイオード支持体部６に対して接続コード７（８）を介して設ければ、汎用性及び多様性を高める観点からより望ましいパフォーマンスを得ることができるとともに、接続コード７（８）の長さ選定等によりその最適化を図ることができる。また、発光ユニット２…同士の接続又は離脱を容易に行うことができ、使用する際における使い勝手（利便性）及び能率性を高めることができる。
【００１５】
（４）  好適な態様により、ダイオード支持体部６に、他の部材９，１０に対して着脱可能に装着する装着部６ｓを設ければ、他の部材９，１０との組み合わせにより、多様性の更なる向上及び多機能性の向上を実現できる。
【図面の簡単な説明】
【００１６】
【図１】本考案の最良の実施形態に係る発光ユニットの外観正面図、
【図２】図１中Ａ−Ａ線断面図、
【図３】同発光ユニットの変更例を示す外観正面図、
【図４】同発光ユニットを複数接続した状態を示す外観正面図、
【図５】同発光ユニットの使用状態の一例を示す使用説明図、
【図６】同発光ユニットの使用状態の他の例を示す使用説明図、
【図７】同発光ユニットのダイオード支持体部に対して他の部材を装着した一例を示す一部断面正面図、
【図８】同発光ユニットのダイオード支持体部に対して他の部材を装着した他の例を示す外観図、
【考案を実施するための形態】
【００１７】
次に、本考案に係る最良の実施形態を挙げ、図面に基づき詳細に説明する。
【００１８】
まず、本実施形態に係る発光装置１の構成について、図１〜図３を参照して具体的に説明する。
【００１９】
発光装置１は、図１に示す発光ユニット２を少なくとも一つ以上備えて構成し、一つの発光ユニット２は、発光ダイオード（ＬＥＤ）３とダイオード支持体部６からなる基本的な構成を有している。
【００２０】
この場合、使用するＬＥＤ３は、特定のＬＥＤに限定されるものではなく、様々な大きさ（照度）及び発色を有するＬＥＤを選定することができる。ＬＥＤ３は発光ユニット２における発光源となり、使用する数量は任意である。即ち、ＬＥＤ３は、図１に示すように、単一のＬＥＤを用いてもよいし、図７に示すように、複数のＬＥＤの集合体により構成してもよい。
【００２１】
一方、ダイオード支持体部６は、全体を円柱形状に形成し、主に外周面は他の部材に対して着脱可能に装着する装着部６ｓとなる。なお、この装着部６ｓには、周方向に沿って形成したリング溝による係合部６ｓｓを有する。また、先端側（一側）の端面６ｘはＬＥＤ３の実装面として構成し、この端面６ｘにＬＥＤ３を実装、即ち、ＬＥＤ３の正極リード１１と負極リード１２を接続する。他方、ダイオード支持体部６の後端側（他側）の端面６ｙには、他の発光ユニット２に備えるアウトレット側コネクタ部５に対して着脱可能となるＬＥＤ３に接続したインレット側コネクタ部４を設けるとともに、他の発光ユニット２に備えるインレット側コネクタ部４に対して着脱可能となるＬＥＤ３に接続したアウトレット側コネクタ部５を設ける。
【００２２】
インレット側コネクタ部４は、ダイオード支持体部６の端面６ｙに、凹部により形成したインレット部１３を設け、このインレット部１３の内部に、一対のピン部１４，１５を配設する。一方のピン部１４は正側となりＬＥＤ３の正極リード１１に接続するとともに、他方のピン部１５は負側となりＬＥＤ３の負極リード１２に接続する。また、インレット部１３の内壁には接続する極を一致させるための規制凸条部１６を形成する。
【００２３】
アウトレット側コネクタ部５は、基部１７と、この基部１７の一側に一体形成した凸部によるアウトレット部１８と、この基部１７から導出する接続コード７を有する。このアウトレット部１８の内部には、一対のジャック部１９，２０を配設し、各ジャック部１９，２０の挿入口をアウトレット部１８の先端面に臨ませる。一方のジャック部１９は正側となり、他方のジャック部２０は負側となる。また、基部１７の他側とダイオード支持体部６の端面６ｙ間は、所定長さの接続コード７により連結する。接続コード７は、図２に示すように、二線式であり、一方の線２１は正側となるため、正側のジャック部１９と正側のピン部１４を接続するとともに、他方の線２２は負側となるため、負側のジャック部２０と負側のピン部１５を接続する。さらに、アウトレット部１８の外壁には接続する極を一致させるための規制凹溝部２３を形成し、この規制凹溝部２３とインレット部１３の規制凸条部１６を係合可能にする。
【００２４】
なお、図３には、発光ユニット２の変更例を示す。図１に示した発光ユニット２は、アウトレット側コネクタ部５のみをダイオード支持体部６に対して接続コード７を介して設けたが、図３に示す発光ユニット２は、インレット側コネクタ部４もダイオード支持体部６に対して接続コード８を介して設けたものである。即ち、インレット側コネクタ部４とアウトレット側コネクタ部５の双方にそれぞれ接続コード８と７を設けたものである。この場合、接続コード８の先端には基部３１を結合し、インレット側コネクタ部４は、この基部３１に設ける。
【００２５】
このように、インレット側コネクタ部４とアウトレット側コネクタ部５の少なくとも一方を、ダイオード支持体部６に対して接続コード７（８）を介して設ければ、汎用性及び多様性を高める観点からより望ましいパフォーマンスを得ることができるとともに、接続コード７（８）の長さ選定等によりその最適化を図ることができる。また、発光ユニット２…同士の接続又は離脱を容易に行うことができ、使用する際における使い勝手（利便性）及び能率性を高めることができる。その他、図３において、図１と同一部分には同一符号を付してその構成を明確にするとともに、その詳細な説明は省略する。
【００２６】
次に、本実施形態に係る発光装置１の基本的な機能について、図１〜図４を参照して説明する。
【００２７】
発光装置１は、上述した発光ユニット２を少なくとも一つ以上用いて構成する。この場合、使用する数量は任意に選定できる。そして、各発光ユニット２…は、図４に示すように、順次連結して使用することができる。図４は、三つの発光ユニット２…を連結した例を示す。第一の発光ユニット２（２ａ）のインレット側コネクタ部４におけるインレット部１３には、第二の発光ユニット２（２ｂ）のアウトレット側コネクタ部５におけるアウトレット部１８を差し込んで接続するとともに、さらに、第二の発光ユニット２（２ｂ）のインレット側コネクタ部４におけるインレット部１３には、第三の発光ユニット２（２ｃ）のアウトレット側コネクタ部５におけアウトレット部１８を差し込んで接続する。
【００２８】
これにより、第一の発光ユニット２（２ａ），第二の発光ユニット２（２ｂ）及び第三の発光ユニット２（２ｃ）の三つの発光ユニット２…は並列に接続される。したがって、第一の発光ユニット２（２ａ）のアウトレット側コネクタ部５におけるアウトレット部１８を、所定の電源部（直流５〔Ｖ〕）４１（図５参照）に接続すれば、第一の発光ユニット２（２ａ），第二の発光ユニット２（２ｂ）及び第三の発光ユニット２（２ｃ）の三つの発光ユニット２…を同時に発光させることができる。
【００２９】
次に、本実施形態に係る発光装置１の具体的な使用方法について、図５及び図６を参照して説明する。
【００３０】
図５は、八つの発光ユニット２…の接続コード７（８）を結束リング５１により束ね、各発光ユニット２…をそれぞれ一枚の花びらに見做して花Ｆを形作ったものである。図５は、三つの花Ｆ…を例示している。したがって、例えば、各花Ｆ…におけるＬＥＤ３…の発色を異ならせ、夜間の庭園等にレイアウトすれば、奇麗なイルミネーション効果を得ることができ、もって、十分な装飾性を醸し出すことができる。図５中、４１は、発光装置１に使用できる電源部であり、前面部には、発光ユニット２のアウトレット側コネクタ部５のアウトレット部１８を差し込み可能なインレット側コネクタ部４におけるインレット部１３を有する。このインレット側コネクタ部４からは、直流５〔Ｖ〕を出力することができる。図５に示す電源部４１において、４２は交流１００〔Ｖ〕が入力する電源コード、４３は電源スイッチ、４４は照度調整つまみ、４５は連続点灯／間歇点灯等の点灯モード切換つまみをそれぞれ示す。なお、電源部４１は一例であり、例えば、充電式バッテリ（ソーラーバッテリ等）や電池等であってもよいし、出力電圧や容量も使用するＬＥＤ３の定格電圧や数量等を考慮した電源を用意することができる。一方、図６は、多数の発光ユニット２…を連結し、そのまま最もポピュラーなクリスマスツリーＴにイルミネーションとして飾り付けしたものである。
【００３１】
このように、本実施形態に係る発光装置１によれば、他の発光ユニット２に対して着脱可能なインレット側コネクタ部４及び他の発光ユニット２に対して着脱可能なアウトレット側コネクタ部５を設けてなるダイオード支持体部６を有する発光ユニット２を、少なくとも一つ以上備えるため、任意数量の発光ユニット２…を自由に連結することができる。これにより、発光ユニット２…の組み合わせによる様々な物を作ったり装飾等を行うことができ、汎用性を高めることができる。また、装飾等を行う観点からの自由度（柔軟性）を高めることができるため、興味性を高めたり楽しさを広げることができ、多様性を高めることができる。さらに、一側に発光ダイオード３を設け、かつ他側に他の発光ユニット２に着脱可能なインレット側コネクタ部４及び他の発光ユニット２に着脱可能なアウトレット側コネクタ部５を設けてなるダイオード支持体部６を有する少なくとも一つ以上の独立した発光ユニット２…を利用するため、各発光ユニット２…は、部品点数の少ない単純な形態により構成できるとともに、任意数量を組み合わせ可能になるため、低コスト性に優れる。
【００３２】
次に、本実施形態に係る発光装置１の他の使用方法について、図７及び図８を参照して説明する。
【００３３】
図７は、ダイオード支持体部６の外周面となる装着部６ｓに他の部材９を装着した使用例である。この場合、部材９は、例えば、半透明のプラスチックにより形成した花びらを象ったものであり、一端側に、ダイオード支持体部６の装着部６ｓに着脱可能に嵌合する筒状の被装着部６１を一体に有する。また、装着部６ｓにはリング溝により形成した係合部６ｓｓを有するため、被装着部６１の内周面には、係合部６ｓｓに係合して抜止めが行われるリング凸条の被係合部を形成する。なお、図７は、ＬＥＤ３を複数のＬＥＤを用いた集合体として構成した場合を示す。その他、図７において、図１と同一部分には同一符号を付してその構成を明確にするとともに、その詳細な説明は省略する。
【００３４】
図８も、ダイオード支持体部６の装着部６ｓ、特に、装着部６ｓに形成した係合部６ｓｓの使用例である。この場合、部材１０は、所定間隔おきにＣ形の被係合部６２…を湾曲形成した線材６３を用いたものであり、この被係合部６２に係合部６ｓｓを着脱させることができる。部材１０は、任意の形に折曲形成できるため、文字や図形等を発光装置１を利用して容易に表示することができる。その他、図８において、図１と同一部分には同一符号を付してその構成を明確にするとともに、その詳細な説明は省略する。
【００３５】
このように、ダイオード支持体部６に、他の部材９，１０に対して着脱可能に装着する装着部６ｓを設ければ、他の部材９，１０との組み合わせにより、多様性の更なる向上及び多機能性の向上を実現できる利点がある。
【００３６】
以上、最良の実施形態について詳細に説明したが、本考案は、このような実施形態に限定されるものではなく、細部の構成，形状，素材，数量等において、本考案の要旨を逸脱しない範囲で、任意に変更，追加，削除することができる。例えば、着脱可能なインレット側コネクタ部４とアウトレット側コネクタ部５を例示したが、着脱可能であれば、様々なタイプ（形態）のインレット側コネクタ部とアウトレット側コネクタ部を適用できる。また、ダイオード支持体部６の形状も例示に限定されるものではなく、各種形状（形態）により実施可能である。一方、接続コード７，８はそれぞれ二線式のものを例示したが単線式の接続コードを二本用いてもよい。さらに、他の部材９，１０は、各種の用途や目的に対応した各種部材を適用できる。
【産業上の利用可能性】
【００３７】
本考案に係る発光装置は、装飾に利用して最も望ましいが、その他、照明や表示等の各種用途に利用することもできる。
【符号の説明】
【００３８】
１：発光装置，２：発光ユニット，３：発光ダイオード，４：インレット側コネクタ部，５：アウトレット側コネクタ部，６：ダイオード支持体部，６ｓ：装着部，７（８）：接続コード，９：他の部材，１０：他の部材
【図１】
0003155988.tif 000003
【図２】
0003155988.tif 000004
【図３】
0003155988.tif 000005
【図４】
0003155988.tif 000006
【図５】
0003155988.tif 000007
【図６】
0003155988.tif 000008
【図７】
0003155988.tif 000009
【図８】
0003155988.tif 000010